(57)【要約】【課題】追加の高電圧回路の不便なしに高電圧集積回路の端子に機能性を追加する方法を開示する。【解決手段】特典は追加の端子の犠牲なしに集積回路の試験、トリミング・パラメータ、または他の目的で代替動作モードを選択することができることである。一実施形態において、普通の低電圧回路が、通常高電圧に曝される端子の電圧をモニタリングする。簡単な電圧検出器と通常のラッチの構成により、集積回路が意図された用途にないときには試験とトリミング・モードに容易に入ることができるが、集積回路が意図された用途で動作しているときには試験とトリミング・モードに入ることが禁止される。【選択図】図２
2011150703.tif 000002
【特許請求の範囲】
【請求項１】
電源のための集積回路コントローラであって、
基準端子と、
前記基準端子に対する第１の最大電圧に耐えるように適合された高電圧端子と、
前記基準端子に対する第２の最大電圧に耐えるように適合された第３の端子とを備え、
前記第２の最大電圧は、前記第１の最大電圧よりも実質的に大きく、
前記コントローラは、
前記高電圧端子と前記基準端子との間に結合された電力スイッチをさらに備え、
前記電力スイッチは、前記コントローラの通常動作モードの間に切換わるように適合され、
前記コントローラは、
前記高電圧端子に結合されて、前記高電圧端子における電圧を表わす内部電圧を提供する高電圧バッファ回路と、
前記高電圧バッファ回路に結合されて、前記内部電圧を監視する低電圧回路とをさらに備え、
前記低電圧回路は、前記内部電圧が第１のしきい値電圧を上回る場合は、前記コントローラの前記通常動作モードを設定するように適合され、
前記低電圧回路は、前記内部電圧が第２のしきい値電圧を下回る場合は、前記コントローラの代替動作モードを設定するようにさらに適合される、コントローラ。
【請求項２】
前記低電圧回路は、前記内部電圧を調整し、前記低電圧回路に調整した電圧を供給するように結合された電圧調整回路を含む、請求項１に記載のコントローラ。
【請求項３】
前記電圧調整回路は、前記第３の端子において受信されるべき電圧を調整して、前記低電圧回路に前記調整した電圧を供給するように結合される、請求項２に記載のコントローラ。
【請求項４】
前記電圧調整回路は、前記第３の端子において受信された電圧が前記調整された電圧よりも小さい場合は、前記内部電圧を調整して前記調整された電圧を供給し、
前記電圧調整回路は、前記内部電圧が前記調整された電圧よりも小さい場合は、前記第３の端子において受信された電圧を調整して、前記調整された電圧を供給する、請求項３に記載のコントローラ。
【請求項５】
前記低電圧回路は、
前記第３の端子および前記電力スイッチのゲートに結合された機能回路を含み、
前記機能回路は、ゲート駆動信号を供給して、前記電力スイッチのスイッチングを制御する、請求項１に記載のコントローラ。
【請求項６】
前記低電圧回路は、
前記高電圧バッファ回路に結合された検出器回路を含み、
前記検出器回路は、前記内部電圧に応答して、第１の状態と第２の状態との間を切換える、請求項１に記載のコントローラ。
【請求項７】
前記低電圧回路は、
前記検出器回路に結合された選択器回路を含み、
前記選択器回路は、前記検出器回路の状態に応答して、前記通常動作モードおよび前記代替動作モードを選択する、請求項６に記載のコントローラ。
【請求項８】
前記代替動作モードは、前記通常動作モードとは異なる試験モードである、請求項１に記載のコントローラ。
【請求項９】
前記代替動作モードは、前記通常動作モードとは異なるトリミングモードである、請求項１に記載のコントローラ。
【請求項１０】
前記第３の端子は、前記電源を調整するための制御端子である、請求項１に記載のコントローラ。
【請求項１１】
前記第３の端子は、前記集積回路コントローラを動作するのに必要な電圧および電流を供給するための電源端子である、請求項１に記載のコントローラ。
【請求項１２】
前記第３の端子は、機能端子である、請求項１に記載のコントローラ。
【請求項１３】
前記機能端子は、複数の機能端子のうちの１つである、請求項１２に記載のコントローラ。
【請求項１４】
前記第１および第２のしきい値電圧は、前記第３の端子で受信されるべき信号に応答して設定される可変しきい値である、請求項１２に記載のコントローラ。
【請求項１５】
電源制御集積回路の動作モードを設定するための方法であって、
前記電源制御集積回路の低電圧回路に内部電圧を供給するために、前記電源制御集積回路の高電圧端子に第１の電圧をバッファリングするステップを備え、
前記内部電圧は、前記第１の電圧に応答し、
前記低電圧回路は、前記電源制御集積回路の基準端子に対する第１の最大電圧に耐えるように適合し、
前記高電圧端子は、前記基準端子に対する第２の最大電圧に耐えるように適合し、
前記第２の最大電圧は、前記第１の最大電圧よりも実質的に大きく、
前記方法は、
前記内部電圧が第１のしきい値電圧を上回る場合は、前記低電圧回路で、前記電源制御集積回路の通常動作モードに設定するステップと、
前記内部電圧が第２のしきい値電圧を下回ったことの検出に応答して、前記低電圧回路で、前記電源制御集積回路の代替動作モードに設定するステップと、
前記電源制御集積回路の前記通常動作モードの間に電力スイッチを切換えるステップとをさらに備え、
前記電力スイッチは、前記電源制御集積回路の前記高電圧端子と前記基準端子との間に
結合される、方法。
【請求項１６】
前記高電圧端子への高電圧の印加に応答して、前記電源制御集積回路の前記代替動作モードから前記通常動作モードへ、前記電源制御集積回路をリセットするステップをさらに備える、請求項１５に記載の方法。
【請求項１７】
前記代替動作モードに設定するステップは、前記通常動作モードとは異なる、試験動作モードへ、前記電源制御集積回路を設定するステップを含む、請求項１５に記載の方法。
【請求項１８】
前記代替動作モードに設定するステップは、前記通常動作モードとは異なる、トリミングモードへ、前記電源制御集積回路を設定するステップを含む、請求項１５に記載の方法。
【請求項１９】
検出器回路で前記高電圧端子における電圧を検出するとともに、選択器回路で機能回路のための動作モードを選択するステップをさらに備える、請求項１５に記載の方法。
【請求項２０】
前記電源制御集積回路の動作モードを設定するステップは、
前記検出器回路におけるしきい値に従って、前記通常動作モードまたは前記代替動作モードを決定するステップを含む、請求項１９に記載の方法。
【請求項２１】
前記電源制御集積回路における複数の低電圧端子における信号に応答して、前記検出器回路における前記しきい値を調整するステップをさらに備える、請求項２０に記載の方法。
【請求項２２】
前記検出器回路における前記しきい値を調整するステップは、
第１のしきい値と第２のしきい値との間で前記しきい値を変化するステップを含む、請求項２１に記載の方法。
【請求項２３】
前記機能回路のための動作モードを選択するステップは、
前記電源制御集積回路の意図された使用の間、前記電源制御集積回路が前記代替動作モードへ入らないことを保証するためのラッチ回路を用いるステップを含む、請求項１９に記載の方法。
【請求項２４】
前記電源制御集積回路の前記代替動作モードに設定するステップは、
前記検出器回路および前記機能回路から受信した入力に応答して、モード選択信号を生成するステップを含む、請求項１９に記載の方法。
【請求項２５】
調整した電圧を前記低電圧回路へ供給するために、電圧調整回路で、前記内部電圧を調整するステップと、
前記調整した電圧を前記低電圧回路へ供給するために、前記電圧調整回路で、前記電源制御集積回路の第３の端子において受信された電圧を調整するステップとをさらに備え、
前記第３の端子は、前記基準端子に対する前記第１の最大電圧に耐えるように適合される、請求項１５に記載の方法。
【請求項２６】
前記電圧調整回路は、前記第３の端子において受信された電圧が前記調整された電圧よりも小さい場合は、前記内部電圧を調整して前記調整された電圧を供給し、
前記電圧調整回路は、前記内部電圧が前記調整された電圧よりも小さい場合は、前記第３の端子において受信された電圧を調整して、前記調整された電圧を供給する、請求項２５に記載の方法。
【発明の詳細な説明】
【技術分野】
【０００１】
本発明は一般に集積回路に関し、より詳細には、本発明は、電力変換器における高電圧を切り換える集積回路に関する。
【背景技術】
【０００２】
集積回路の設計において、集積回路がそれの意図された用途にあるときに使用されない動作の機能やモードを含めることが慣例である。これらの代替動作モードは、代わりに、集積回路の生産において、およびそれらを使用している装置の維持において、様々な目的で使用することができる。たとえば、デバイスを試験する時間を短縮したり、試験の精度や信頼度を高める特別な周波数、電圧または電流で集積回路を動作させることが望ましいことがある。いくつかの集積回路の製造プロセスは、集積回路が最終試験の一部としてアセンブルされた後での内部パラメータの調節またはトリミングを含む。最終調節は集積回路の特別なトリミング・モードを選択することによって行われる。トリミング・モードにある間、集積回路の端子における信号の適切な操作によってパラメータを調節する。次いで調節が完了した後でトリミング・モードを使用不可能にする。
【０００３】
また、ある代替動作モードは、試験モードやトリミング・モードとは区別され、選択的な通常動作モードである。通常動作モードは、集積回路がそれの意図された用途において動作するものである。通常動作モードでもある代替動作モードは切換電源の周波数に関係することがある。たとえば、１つの通常動作モードは固定の周波数を使用し、別の通常動作モードは可変の周波数を使用する。いくつかの集積回路は、各特殊な用途のユーザが特定の動作モードを選択できるように、フィールド・プログラマブルである。
【０００４】
たいていの集積回路の技術は、一般には約４０ボルトであり、製造プロセスや集積回路を備えるデバイスのフィーチャ・サイズに応じて変動することもある、デバイスの最大電源電圧に端子の電圧を制限している。電圧は、通常電源端子である接地基準電圧に対して測定される。典型的には、その接地基準端子は集積回路の最も負の電位である。以下の議論では、通常約４０ボルト未満であるそのような電圧を通常の使用低電圧と呼ぶ。約４０ボルト未満の最大電圧に耐えられる端子を低電圧端子と呼ぶ。約４０ボルトを大幅に超える最大電圧に耐えられる端子を高電圧端子と呼ぶ。
【０００５】
集積回路のいくつかの端子は、最大電源電圧よりも大幅に低い電圧に制限されている。普通の低電圧に制限される集積回路では、低電圧回路だけで任意の端子の状態をモニタリングしたり、端子に印加されるあらゆる電圧に応答するので、デバイスのほぼどの端子を使用しても代替動作モードを困難なしに選択することができる。
【０００６】
すべての集積回路が低電圧で動作するとは限らない。高電圧集積回路では、少なくとも１つの端子が意図された用途において高電圧に曝される。これらのデバイスは一般に普通の低電圧回路を高電圧電力半導体と一体となっている。高電圧端子は、一般に、他の端子が損傷なしに許容される電圧よりも大幅に大きい１００ボルトを超える電圧で動作する。高電圧集積回路の一般的な用途は切換電源である。オフライン交流（ＡＣ）−直流（ＤＣ）電源における用途の場合、高電圧端子の電圧は７００ボルトの近傍である。
【０００７】
高電圧端子と低電圧端子の間の区別は基本的に相対電圧であり、絶対電圧でないことは当業者なら認識されよう。たとえば、集積回路技術は、普通の低電圧が１ボルト未満であり、１０ボルトを超える電圧は高電圧であるとする材料または幾何形状を使用することがある。
【発明の概要】
【発明が解決しようとする課題】
【０００８】
集積回路の設計の目的は所望の機能を最低コストで実現することである。集積回路のコストに影響を及ぼす２つのファクタは半導体材料の量と端子の数である。高電圧デバイスは低電圧デバイスよりも大きく、したがってより多くの半導体材料を使用するので、集積回路における高電圧に曝される回路の数を最小限に抑えることが有利である。また、端子の数を最小限に抑えるために、集積回路の各端子を、できるだけ多数の機能に使用することが有利である。
【課題を解決するための手段】
【０００９】
最大高電圧に耐えられる端子を介して集積回路の代替機能動作モードを選択する方法が開示される。一実施態様において、集積回路は、集積回路の第１、第２、第３の端子を含む複数の端子に結合された機能回路を含む。第２の端子に対して、第１の端子は第１の最大電圧に耐えるように適合され、第３の端子は、第２の端子に対する第２の最大電圧に耐えるようになっている。第２の最大電圧は第１の最大電圧よりも大幅に大きい。集積回路は、第３の端子の電圧を検出するために結合された検出器回路を含む。検出器回路は、第３の端子の電圧が第１のしきい値よりも小さいときに第１の状態を有し、第３の端子の電圧が第２のしきい値よりも小さいときに第２の状態を有する。また、集積回路は検出回路と機能回路に結合された選択器回路を含む。選択器回路は、複数の端子に応答して機能回路の少なくとも２つの異なる動作モードの１つを選択するようにされている。本発明の追加の特徴および特典は下記の詳細な説明、図および特許請求の範囲から明らかになろう。
【００１０】
限定ではなく例として添付の図に本発明を詳細に示す。
【図面の簡単な説明】
【００１１】
【図１】一般に切換電源において使用されるであろうタイプの高電圧集積回路のブロック図である。これは高電圧パワー・トランジスタおよびコントローラを示す。
【図２】本発明の好ましい実施形態を表すコントローラの内部要素を示す、図１の高電圧集積回路の機能ブロック図である。
【発明を実施するための形態】
【００１２】
高電圧集積回路において代替動作モードを選択する方法の一実施形態が開示される。以下の説明において、本発明の完全な理解を与えるために多数の特定の詳細を記載する。しかしながら、特定の詳細は本発明を実施するために使用される必要はないことを当業者には明らかであろう。実装形態に関係するよく知られている方法については、本発明を曖昧にするのを回避するために詳細には説明していない。
【００１３】
この明細書を通じての「一実施形態」または「実施形態」への言及は、実施形態とともに説明する特定のフィーチャ、構造、または特徴が本発明の少なくとも１つの実施形態に含まれることを意味する。したがって、この明細書を通じての「一実施形態」または「実施形態」という句の出現は必ずしもすべて同じ実施形態をさすとは限らない。さらに、特定のフィーチャ、構造、または特徴は１つまたは複数の実施形態で適切な様式で組み合わせることができる。
【００１４】
この開示において、集積回路の端子は外部か内部のいずれかとすることができる。外部端子は集積回路の物理的パッケージの外の回路に結合し、一方、内部端子は集積回路の物理的パッケージ外の回路に結合しない。端子は別段に記載されていない場合は外部であると考えられたい。
【００１５】
次に、本発明の教示による集積回路の代替機能動作モードを選択するための集積回路の高電圧端子を使用する方法について説明する。本発明の実施形態は、端子での電圧の操作によって集積回路の異なる構成と機能動作モードを選択する方法と装置を内包する。
【００１６】
一実施形態において、集積回路は、各端子に現れる電圧に応じて、高電圧端子か低電圧端子のいずれかからその内部電源を導出する。電圧バッファ各は高電圧端子からの電圧を制限する。普通の低電圧回路は高電圧端子の高電圧の存在を検出する。代替動作モードは、集積回路の意図された用途では起こり得ない特定のシーケンスや大きさをもつ電圧が端子に印加されたときに選択される。高電圧端子への高電圧の印加は集積回路をその所望の動作モードにラッチする。
【００１７】
本発明の一実施形態によれば、通常モードで最大高電圧に耐える能力を有する端子の電圧によって集積回路の機能動作モードを選択する方法が開示される。本方法は、追加の高電圧回路の負担と費用なしに高電圧端子に有用な機能を追加するために高電圧端子の電圧をモニタリングするために普通の低電圧回路を使用する。
【００１８】
特に、通常動作モードで高電圧を切り換える端子は、代替動作モードを選択する端子となる。この目的での高電圧端子の使用の特典は、わずかの端子しか有しない集積回路に対して最大になる。多数の低電圧端子を有する集積回路に多数の機能をエンコードすることは比較的簡単であるが、わずかの端子のみが利用可能であるときには困難になる。
【００１９】
説明するために、電源切換においてわずか３つの端子をもつ電力用集積回路が一般的である。一実施形態において、３つの端子のうちの１つは他の２つに対する接地基準として働く。したがって、３つの端子をもつ集積回路は、すべての必要な機能を実行するために利用可能な端子は２つしかない。端子の１つは通常モードで高電圧に曝される。高電圧端子は最大高電圧に耐えられなければならない。本明細書に記載の方法は、追加の端子の犠牲または高電圧端子回路の使用なしに集積回路の機能性を拡張するための高電圧端子の使用を可能にする。
【００２０】
一実施形態において、集積回路は、切換電源に使用するのに適した様式で構成された高電圧トランジスタと低電圧コントローラを含む。図１は代表的な構成を示す。一実施形態において、集積回路は、エネルギー伝達要素を介して切換電源の入力から出力へのエネルギーの伝達を調整するために使用することができるモード切替電源コントローラである。集積回路１００のエンベロープ内には高電圧パワー・トランジスタ１０１とコントローラ１０２がある。一実施形態において、トランジスタは、そのドレインが高電圧端子１０３に結合され、そのソースが接地基準端子１０４に結合された電界効果デバイスである。コントローラ１０２は内部接続によって端子１０３、１０４に結合されている。
【００２１】
一実施形態において、コントローラ１０２は、集積回路の所望の動作モードを維持するために外部回路や内部回路から信号を受け取る端子１０５に結合されている。一実施形態において、端子１０５は制御端子、電源端子、機能端子である。この開示の目的で、制御端子は切換電源を調整する端子である。電源端子は、集積回路を動作させるために必要な電圧と電流に結合され端子である。機能端子は集積回路で他の所望の動作を実行する端子である。必要に応じて所望の機能に対して任意の数の追加の端子１０６があってもよい。
【００２２】
一実施形態において、図１の集積回路１００は図２に示される要素を含む。図２に示される実施形態に示すように、コントローラ２００は内部接続２０１によって高電圧端子１０３に結合され、内部接続２１４によって接地基準端子１０４に結合される。一実施形態において、コントローラ２００は、エネルギー伝達要素を介した切換電源の入力から切換電源の出力へのエネルギーの伝達を調整するために使用される電源切換コントローラに含まれる。以下の説明において、すべての電圧は、別段に記載されていない場合は接地基準端子１０４または内部接続２１４に対するものである。
【００２３】
一実施形態において、高電圧バッファ回路２０４は内部電圧２０３、２０５を与えるように適合され、これらはコントローラ２００内の低電圧デバイスに対して安全である限界を超えることができない。内部電圧は一般に、普通の低電圧集積回路と同様に約４０ボルト未満である。一実施形態において、内部電圧２０３は３６ボルトに制限され、内部電圧２０５は１５ボルトに制限される。当業者なら高電圧バッファ回路の設計には熟知しているであろう。ツェナー・ダイオード、接合電界トランジスタ（ＪＦＥＴ）抵抗、電圧制御電流源は、本発明の教示による特定の用途で高電圧バッファ回路に適していると知られている回路のいくつかの例である。
【００２４】
一実施形態において、内部電圧調整器回路２０２は内部電圧２０３を受け取り、バッファされた高い内部電圧２０３よりも低い調整された電圧２０６を供給する。当業者なら適切な電圧調整器回路の設計には熟知しているであろう。調整電圧２０６は一般に約５ボルトである。一実施形態において、調整電圧は５．８ボルトである。
【００２５】
記載の実施形態に示すように、内部電圧調整器回路２０２は、一実施形態において制御端子、電源端子、機能端子である端子２０７に結合されている。一実施形態において、端子２０７は集積回路外のいかなる回路にも結合されない。そのような実施形態において、集積回路は、図１、図２に示される実施形態においては端子１０３、１０４である２つの外部端子しか有しない。一実施形態において、電圧調整器２０２は、内部電圧２０３か端子２０７の電圧のいずれかが調整電圧２０６よりも大幅に大きいときは、内部電圧２０３か端子２０７の電圧のいずれかから調整電圧２０６を供給する。
【００２６】
機能回路２０８は、図２では明示的でないすべての他の機能を実行する。一実施形態において、パワー・トランジスタのゲートは機能回路２０８からの信号２１３によって駆動される。信号２１３を生成するドライバ回路が機能回路２０８に含まれている。
【００２７】
一実施形態において、機能回路２０８は調整電圧２０６をモニタリングする。調整電圧２０６が適切な動作のために十分高いとき、機能回路２０８によって与えられる、図２に「ＶDDＧＯＯＤ」で示される内部信号２１２が論理高状態になる。内部信号２１２は、回路が適切に動作するために調整電圧２０６が低すぎるとき、論理低状態にある。調整電圧２０６をモニタリングするための電圧モニタ回路が機能回路２０８に含まれている。
【００２８】
一実施形態において、機能回路２０８に含まれるモード管理回路が、コントローラ２００のために代替動作モードを選択するモード選択信号２０９を受け取る。たとえば、モード選択信号２０９が論理低であり、したがってコントローラ２００が代替動作モードにあるとき、端子２０７または機能端子のいずれかの信号は機能回路２０８の挙動または構成を変更することができる。変更は一時的か永久的のいずれかとすることができる。一実施形態において、モード選択信号２０９の論理低は集積回路を、試験とトリミングを可能にする代替動作モードに入らせる。モード選択信号２０９の論理高はコントローラ２００を通常動作モードに入らせ、試験とトリミングを可能にする代替動作モードから出させる。代替動作モードについては試験とトリミングのための動作モードとして例の目的で本明細書で説明するが、本発明の教示による他の通常動作モードを含む、他の動作モードを代替動作モードとともに達成することができることを理解されたい。
【００２９】
一実施形態において、試験とトリミングを可能にする代替動作モードは、集積回路が通常動作モード中にその意図された用途において使用されるときに禁止される。一実施形態において、意図された用途において、他の端子に電圧が現れる前に、内部接続２０１のドレイン端子１０３に電圧が印加される。ドレイン端子１０３の電圧が高電圧バッファ２０４を活動化させ、検出器回路２１１に結合されている内部電圧２０５の出力に電圧を生じさせる。一実施形態において、検出器回路２１１は、図２に示すように、当業者なら熟知しているであろう普通の相補形金属酸化物半導体（ＣＭＯＳ）インバータを含む。
【００３０】
図２に示される実施形態に示すように、選択器回路２１０は、検出器回路２１１の出力から受け取った入力と機能回路２０８の出力から受け取った内部信号２１２に応答してモード選択信号２０９を生成する。また別の実施形態において、選択器回路２１０は、たとえば、他の２０７などを含む他の内部または外部端子上に存在する信号などの他の影響に応答することができることが理解される。したがって、検出器回路２１１の出力と機能回路２０８によって与えられた内部信号２１２は、たとえば端子１０３、１０４での状態に応答するので、また選択器回路２１０は、たとえば端子２０７などの他の端子に応答することもできるので、選択器回路２１０は対応して、たとえば、本発明の教示によって端子１０３、１０４および／または２０７に応答してモード選択信号２０９を生成する。
【００３１】
一実施形態において、検出器回路２１１の入力の内部電圧２０５が、たとえば２．９ボルトのしきい値よりも大きいとき、検出器回路２１１は選択器回路２１０によって、モード選択信号２０９を論理低から論理高にする。選択器回路２１０から出力されたモード選択信号２０９は、信号２１２が論理低になったときにその元の状態に戻ることが可能になる。信号２１２は、すべての回路が適切に動作するために調整電圧２０６が低すぎるとき、論理低になる。
【００３２】
一実施形態において、選択器回路２１０の構成は、図２に示すように、当業者なら熟知しているであろう普通のラッチ回路を含むので、その意図された用途における集積回路は、コントローラ２００がその意図された用途において通常モードで動作しているときに試験とトリミングを可能にする代替動作モードに誤って入ることがなくなる。たとえば、選択器回路２１０のラッチは、高電圧バッファからの内部電圧２０５が、切換電源の通常動作中に起こるであろうように、たとえば２．９ボルトのしきい値より上に留まらないときでも、モード選択信号２０９を論理高に保持する。
【００３３】
一実施形態において、試験とトリミングのための代替モードは、意図された用途において通常動作モード中に起こらない簡単なシーケンスを介してのみ使用可能になる。たとえば、一実施形態において、試験とトリミング・モードに入るために、すべての端子１０３、１０４、２０７は最初に０ボルトにセットされる。内部接続２０１のドレイン端子１０３の電圧が検出器回路２１１の入力の内部電圧２０５を約２．９ボルトのしきい値より下に保つために十分低いままである間に、端子２０７が約５．８ボルトに上げられる。調整された電圧２０６が上がると、選択器回路２１０は試験とトリミングのために代替モードを可能にするためにモード選択信号２０９を論理低に保持する。たとえば、内部電圧２０５を２．９ボルトのしきい値より上に上げるために十分な電圧を内部接続２０１のドレイン端子１０３に印加すると、モード選択信号２０９が論理高にラッチされて試験とトリミング・モードを出ることになる。
【００３４】
一実施形態において、検出器回路２１１のしきい値は、複数の高電圧端子の信号に応答して変更可能または調節可能とすることができる。別の実施形態において、検出器回路２１１の入力の電圧に応じて、しきい値が第１のしきい値と第２のしきい値の間で変化するように、検出器回路２１１のしきい値がヒステリシスを有する。ヒステリシスを有するしきい値をもつ回路の設計は当業者なら熟知しているであろうことが理解される。
【００３５】
上記の詳細な説明では、本発明の方法と装置について特定の例示的な実施形態に関して説明した。しかしながら、本発明のより広い精神および範囲から逸脱せずに本発明に対して様々な改変および変更を行うことができることは明らかであろう。したがって、本明細書および図は限定的ではなく例示的なものと考えるべきである。
【符号の説明】
【００３６】
１００  集積回路、１０１  高電圧パワー・トランジスタ、１０２  コントローラ、１０３  高電圧端子、１０４  接地基準端子、１０５、１０６  端子
【図１】
2011150703.tif 000003
【図２】
2011150703.tif 000004